(57)【要約】【解決手段】表示パネルのムラ現象補償方法は、（Ｓ１１０）表示パネルのムラ現象に対してグレースケール補償を行なう複数の補償値を記憶し、複数の補償値は、表示パネルの異なるグレースケールに対して補償を行ない、異なるグレースケールの中で最低グレースケールｇｍｉｎに対応する補償値を第１補償値ａとするステップ；（Ｓ１２０）グレースケール０に対応する先端補償値ｍ（ただし、ｍは０ではない）を取得するステップ；（Ｓ１３０）表示パネルの現在のグレースケールを取得するステップ；（Ｓ１４０）表示パネルの現在のグレースケールが、グレースケール０−最低グレースケールｇｍｉｎの間にあるときに、第１補償値ａと先端補償値ｍに基づいて線形補間の計算を行なうことで、現在のグレースケールに対応する第１目的補償値を得るステップ；（Ｓ１５０）第１目標補償値に基づいて、表示パネルの現在のグレースケールに対して補償を行なうステップ、を含む。表示パネルは、液晶表示パネルに表示される画像が不均一な輝度を有する問題を軽減できる。【選択図】図２
2020518849.tif 000002
【特許請求の範囲】
【請求項１】
表示パネルのムラ現象に対してグレースケール補償を行なう複数の補償値を記憶し、複数の前記補償値は、表示パネルの異なるグレースケールに対応して補償を行ない、異なるグレースケールの中で最低グレースケールｇｍｉｎに対応する前記補償値を第１補償値ａとするステップ；
グレースケール０に対応する先端補償値ｍ（ただし、ｍは０ではない）を取得するステップ；
表示パネルの現在のグレースケールを取得するステップ；
表示パネルの現在のグレースケールが、前記グレースケール０−前記最低グレースケールｇｍｉｎの間にあれば、前記第１補償値ａと前記先端補償値ｍに基づいて線形補間の計算を行なうことで、現在のグレースケールに対応する第１目的補償値を得るステップ；
前記第１目標補償値に基づいて、前記表示パネルの現在のグレースケールに対して補償を行なうステップ、を含むことを特徴とする表示パネルのムラ現象補償方法。
【請求項２】
ｍ＝ｘａであり、前記ｘは先端補償係数である（ただし、０＜ｘ＜１）ことを特徴とする請求項１に記載の表示パネルのムラ現象補償方法。
【請求項３】
グレースケール０−最低グレースケールｇｍｉｎの間にある現在のグレースケール第ｋグレースケールに対応する第１目標補償値ｙｋの計算式は以下であることを特徴とする請求項１に記載の表示パネルのムラ現象補償方法。
【数１】
2020518849.tif 000016
【請求項４】
前記先端補償係数ｘがタイミングコントローラに記憶され、またはデータメモリに記憶されることを特徴とする請求項２に記載の表示パネルのムラ現象補償方法。
【請求項５】
異なるグレースケールの中で最高グレースケールｇｍａｘに対応する前記補償値を第３補償値ｃとし、前記方法はさらに、
グレースケール２５５に対応する末端補償値ｎ（ただし、ｎは０ではない）を取得するステップ；
表示パネルの現在のグレースケールが、前記最高グレースケールｇｍａｘ−前記グレースケール２５５の間にあるときに、前記末端補償値ｎと第３補償値ｃとに基づいて線形補間の計算を行なうことで、現在のグレースケールに対応する第２目的補償値を得るステップ；
前記第２目標補償値に基づいて、前記表示パネルの現在のグレースケールに対して補償を行なうステップ、を含むことを特徴とする請求項１に記載の表示パネルのムラ現象補償方法。
【請求項６】
ｎ＝ｙｃであり、前記ｙは末端補償係数である（ただし、０＜ｙ＜１）ことを特徴とする請求項５に記載の表示パネルのムラ現象補償方法。
【請求項７】
異なるグレースケールが、中間グレースケールｇｍｉｄと最高グレースケールｇｍａｘをさらに含み；前記中間グレースケールｇｍｉｄは前記最低グレースケールｇｍｉｎと前記最高グレースケールｇｍａｘとの間にあり；前記中間グレースケールｇｍｉｄに対応する第２補償値をｂとし、前記最高グレースケールｇｍａｘは第３補償値ｃに対応し；前記方法はさらに、
表示パネルの現在のグレースケールが、前記最低グレースケールｇｍｉｎ−前記中間グレースケールｇｍｉｄの間にあるときには、前記第１補償値ａと第２補償値ｂに基づいて線形補間の計算を行なうことで、現在のグレースケールに対応する第３目標補償値を得て、且つ前記第３目標補償値に基づいて、前記表示パネルの現在のグレースケールに対する補償を行なうステップ；或いは、
表示パネルの現在のグレースケールが、前記中間グレースケールｇｍｉｄ−前記最高グレースケールｇｍａｘの間にあるときには、第２補償値ｂと第３補償値ｃに基づいて線形補間の計算を行なうことで、現在のグレースケールに対応する第４目標補償値を得て、且つ前記第４目標補償値に基づいて、前記表示パネルの現在のグレースケールに対する補償を行なうステップ、を含むことを特徴とする請求項１に記載の表示パネルのムラ現象補償方法。
【請求項８】
表示パネルのムラ現象に対してグレースケール補償を行なう複数の補償値を記憶するのに用いられ、複数の前記補償値は、表示パネルの異なるグレースケールに対して補償を行ない、異なるグレースケールの中で最低グレースケールｇｍｉｎに対応する前記補償値を第１補償値ａとする第１記憶ユニット；
グレースケール０に対応する先端補償値ｍ（ただし、ｍは０ではない）を取得するために用いられる第１取得ユニット；
表示パネルの現在のグレースケールを取得するために用いられる第２取得ユニット；
第２取得ユニットで取得した表示パネルの現在のグレースケールが、前記グレースケール０−前記最低グレースケールｇｍｉｎの間にあるときに、前記第１補償値aと前記先端補償値ｍに基づいて線形補間の計算を行なうことで、現在のグレースケールに対応する第１目的補償値を得るために用いられる処理ユニット；
前記第１目標補償値に基づいて、前記表示パネルの現在のグレースケールに対して補償を行なうために用いられる補償ユニット、を含むことを特徴とする表示パネル。
【請求項９】
ｍ＝ｘａであり、ｘは先端補償係数であり（ただし、０＜ｘ＜１）、前記表示パネルが、前記先端補償係数ｘを記憶するために用いられる第２記憶ユニットをさらに含むことを特徴とする請求項８に記載の表示パネル。
【請求項１０】
前記第１記憶ユニットはデータメモリであり、前記第２記憶ユニットはデータメモリ或いはタイミングコントローラであることを特徴とする請求項９に記載の表示パネル。
【発明の詳細な説明】
【技術分野】
【０００１】
本発明は、２０１７年５月３日に提出された発明の名称が「表示パネルのムラ現象補償方法および表示パネル」という出願番号ＣＮ２０１７１０３０５９０９．１の先行出願に基づく優先権を主張し、且つ、上記先行出願の内容を導入するように本明細書に組み込まれる。
【０００２】
本発明は、ディスプレイ技術の分野に関し、特に、表示パネルのムラ現象補償方法および表示パネルに関する。
【背景技術】
【０００３】
液晶ディスプレイ（Ｌｉｑｕｉｄ  Ｃｒｙｓｔａｌ  Ｄｉｓｐｌａｙ，ＬＣＤ）の製造プロセスにおける様々な欠陥によって、製造されたＬＣＤ表示パネルの輝度が不均一となることがよくあり、様々なムラ（ムラとはディスプレイの不均一な輝度を言うもので、様々な痕跡が引き起こされる現象である）を生じたりする。
【０００４】
表示パネル（ｐａｎｅｌ）の輝度均一性を改善するために、現在のところ、ムラ補償方法が存在する。即ち、０〜２５５のグレースケールの中で、幾つかのグレースケールのムラ形態を高解像度のカメラが撮影し、通常、その幾つかのグレースケールは、低グレースケール領域、中グレースケール領域、高グレースケール領域のそれぞれから一つのグレースケールのムラ構造を選択して撮影を行ない、表示パネルの中央位置の輝度と比較することで、周囲領域と中央位置との間の輝度の違いを計算し、そしてムラ位置のグレースケール値を逆に補償する（中心位置よりも明るい領域では、輝度を減少させるためにグレースケール値を下げ、中心位置よりも暗い領域では、輝度を増加させるためにグレースケール値を上げる）ことで、残りの各グレースケールの補償値が、撮影された低、中、高の各グレースケールの補償値を線形補間してその後に計算され、表示パネルが全体として比較的均一な輝度を達成できる。
【０００５】
従来の線形補間の計算方法は、低−中、中−高のグレースケール補償値が比較的正確であり、グレースケール０−測定された低グレースケールの間の補償値の計算方法は：デフォルトでグレースケール０（最も暗い）の補償値が０となり、その後にグレースケール０の補償値である０と、低グレースケールで測定された補償値とにより、他の低グレースケールの補償値を得るための線形補間の計算が行なわれる。しかし、図１を参照すると（同図において、ａ、ｂ、ｃは、最低グレースケールｇｍｉｎ，中間グレースケールｇｍｉｄ、最高グレースケールｇｍａｘの補償値をそれぞれ表す）、グレースケール０−測定された最低グレースケールｇｍｉｎ（最低グレースケールｇｍｉｎは、中間グレースケールｇｍｉｄや最高グレースケールｇｍａｘに対するものである）の間の段階で、各グレースケールにおけるムラの程度が何れもかなり大きい。しかし、グレースケール０の補償値は０（正確な値ではなくデフォルトの値）に設定されるので、補償データａと０とにより行なわれた線形補間の計算後は、計算で得られ測定された最低グレースケールｇｍｉｎ〜グレースケール０になるに従い、グレースケールの補償データが次第に小さくなって、実際のグレースケールの補償値と益々異なるようになり、測定された最低グレースケールｇｍｉｎ〜グレースケール０におけるムラの補償効果が著しく好ましくないものとなっていた。
【発明の概要】
【発明が解決しようとする課題】
【０００６】
本発明の実施形態が解決しようとする技術課題は、表示パネルのムラ現象補償方法および表示パネルを提供することにあり、液晶表示パネルの画面輝度が不均一となる問題を軽減することができる。
【課題を解決するための手段】
【０００７】
上記の問題を解決するために、本発明の第１態様は、表示パネルのムラ現象補償方法を提供するものであり：
表示パネルのムラ現象に対してグレースケール補償を行なう複数の補償値を記憶し、複数の前記補償値は、表示パネルの異なるグレースケールに対応して補償を行ない、異なるグレースケールの中で最低グレースケールｇｍｉｎに対応する前記補償値を第１補償値ａとするステップ；
グレースケール０に対応する先端補償値ｍ（ただし、ｍは０ではない）を取得するステップ；
表示パネルの現在のグレースケールを取得するステップ；
表示パネルの現在のグレースケールが、前記グレースケール０−前記最低グレースケールｇｍｉｎの間にあれば、前記第１補償値ａと前記先端補償値ｍに基づいて線形補間の計算を行なうことで、現在のグレースケールに対応する第１目的補償値を得るステップ；
前記第１目標補償値に基づいて、前記表示パネルの現在のグレースケールに対して補償を行なうステップ；を含む。
【０００８】
ｍ＝ｘａであり、前記ｘは先端補償係数である（ただし、０＜ｘ＜１）。
【０００９】
グレースケール０−最低グレースケールｇｍｉｎの間にある現在のグレースケールにある第ｋグレースケールに対応する第１目標補償値ｙｋの計算式は以下である。
【００１０】
【数１】
2020518849.tif 000003
【００１１】
前記先端補償係数ｘがタイミングコントローラに記憶され、またはデータメモリに記憶される。
【００１２】
異なるグレースケールの中で最高グレースケールｇｍａｘに対応する前記補償値を第３補償値ｃとし、前記方法はさらに、
グレースケール２５５に対応する末端補償値ｎ（ただし、ｎは０ではない）を取得するステップ；
表示パネルの現在のグレースケールが、前記最高グレースケールｇｍａｘ−前記グレースケール２５５の間にあるときに、前記末端補償値ｎと第３補償値ｃとに基づいて線形補間の計算を行なうことで、現在のグレースケールに対応する第２目的補償値を得るステップ；
前記第２目標補償値に基づいて、前記表示パネルの現在のグレースケールに対して補償を行なうステップ、を含む。
【００１３】
ｎ＝ｙｃであり、前記ｙは末端補償係数である（ただし、０＜ｙ＜１）。
【００１４】
異なるグレースケールが、中間グレースケールｇｍｉｄと最高グレースケールｇｍａｘをさらに含み；前記中間グレースケールｇｍｉｄは前記最低グレースケールｇｍｉｎと前記最高グレースケールｇｍａｘとの間にあり；前記中間グレースケールｇｍｉｄに対応する第２補償値をｂとし、前記最高グレースケールｇｍａｘは第３補償値ｃに対応し；前記方法はさらに、
表示パネルの現在のグレースケールが、前記最低グレースケールｇｍｉｎ−前記中間グレースケールｇｍｉｄの間にあるときには、前記第１補償値ａと第２補償値ｂに基づいて線形補間の計算を行なうことで、現在のグレースケールに対応する第３目標補償値を得て、且つ前記第３目標補償値に基づいて、前記表示パネルの現在のグレースケールに対する補償を行なうステップ；或いは、
表示パネルの現在のグレースケールが、前記中間グレースケールｇｍｉｄ−前記最高グレースケールｇｍａｘの間にあるときには、第２補償値ｂと第３補償値ｃに基づいて線形補間の計算を行なうことで、現在のグレースケールに対応する第４目標補償値を得て、且つ前記第４目標補償値に基づいて、前記表示パネルの現在のグレースケールに対する補償を行なうステップ、を含む。
【００１５】
本発明の第２態様は、表示パネルを提供するものであり：
表示パネルのムラ現象に対してグレースケール補償を行なう複数の補償値を記憶するのに用いられ、複数の前記補償値は、表示パネルの異なるグレースケールに対して補償を行ない、異なるグレースケールの中で最低グレースケールｇｍｉｎに対応する前記補償値を第１補償値ａとする第１記憶ユニット；
グレースケール０に対応する先端補償値ｍ（ただし、ｍは０ではない）を取得するために用いられる第１取得ユニット；
表示パネルの現在のグレースケールを取得するために用いられる第２取得ユニット；
第２取得ユニットで取得した表示パネルの現在のグレースケールが、前記グレースケール０−前記最低グレースケールｇｍｉｎの間にあるときに、前記第１補償値aと前記先端補償値ｍに基づいて線形補間の計算を行なうことで、現在のグレースケールに対応する第１目的補償値を得るために用いられる処理ユニット；
前記第１目標補償値に基づいて、前記表示パネルの現在のグレースケールに対して補償を行なうために用いられる補償ユニット、を含む。
【００１６】
ｍ＝ｘａであり、ｘは先端補償係数であり（ただし、０＜ｘ＜１）、前記表示パネルが、前記先端補償係数ｘを記憶するために用いられる第２記憶ユニットをさらに含む。
【００１７】
前記第１記憶ユニットはデータメモリであり、前記第２記憶ユニットはデータメモリ或いはタイミングコントローラである。
【発明の効果】
【００１８】
本発明の実施形態を実施することで、以下のような有益な効果がもたらされる：
グレースケール０に対応する先端補償値が０に設定されず、実際値に近い或いは実際値の先端補償値ｍとなるので、線形補間の計算により得られるグレースケール０−最低グレースケールｇｍｉｎの間の第１目標補償値は実際の補償値により近づき、最低グレースケールｇｍｉｎ−グレースケール０の間のムラ補償効果が向上して、表示効果が良好になる。
【図面の簡単な説明】
【００１９】
本発明の実施形態または従来技術の技術案をより明確に説明するために、実施形態または従来技術の説明で使用する図面について以下に簡単に説明するが、明らかに分かるように、以下の説明における図面は、本発明のいくつかの実施形態を示すものに過ぎず、当業者であれば如何なる創造的労力を費やさないことを前提として、これらの図面から他の図面を得ることができる。
【図１】従来技術で実際に必要となるムラ補償曲線（実線の曲線）と、従来技術で線形補間の計算により得られたムラ補償曲線（実線）との比較を示す図である。
【図２】本発明における表示パネルのムラ現象補償方法の第１実施形態を示すフローチャートである。
【図３】本発明の第１実施形態で得られたムラ補償曲線（実線の直線）と、従来技術で線形補間の計算により得られたムラ補償曲線（破線）と、実際に必要となるムラ補償曲線（実線の曲線）との比較を示す図である。
【図４】本発明における表示パネルの機能的構造を示す概略図である。
【図５】本発明における表示パネルのムラ現象補償方法の第２実施形態を示すフローチャートである。
【発明を実施するための形態】
【００２０】
本発明の実施形態における技術的解決策は、本発明の実施形態における添付図面を参照して、以下に明確かつ完全に説明されるが、説明した実施形態は、本発明の一部の実施形態に過ぎず、全ての実施形態ではないことは明らかである。本発明の実施形態に基づいて、創造的な労力を前提に費やすことなく当業者によって得られる全ての他の実施形態は、何れも本発明の保護範囲内に属する。
【００２１】
本出願の明細書、特許請求の範囲、及び図面に現れる「含む」や「備える」という用語、およびその任意の変形は、非排他的な包含を意図している。例えば、一連のステップまたはユニットを含む処理、方法、システム、製品または装置は、列挙されたステップ或いはユニットに限定されず、列挙されていないステップ或いはユニットをも任意に含み、またはその代わりに、これらの処理、方法、製品または装置に固有の別なステップ或いはユニットを含んでいる。その他、「第１」、「第２」および「第３」などの用語は、異なる対象物を区別するために使用され、特定の順番を述べる意図ではない。
【００２２】
第１実施形態
本発明は表示パネルのムラ現象補償方法を提供し、前記表示パネルは液晶表示パネルまたはその他の表示パネルとすることができ、図２および図３を参照すると、本方法は次のステップを含む：
Ｓ１１０：表示パネルのムラ現象に対してグレースケール補償を行なう複数の補償値を記憶し、複数の前記補償値は、表示パネルの異なるグレースケールに対応して補償を行ない、異なるグレースケールの中で最低グレースケールｇｍｉｎに対応する補償値を第１補償値ａとするステップ；
ここで表示パネルは、ムラ現象に対してグレースケール補償を行なうのに用いられる複数の補償値を記憶し、複数の前記補償値は、それぞれ異なるグレースケールに対応して補償を行なう。一般的に複数の前記補償値は、少なくとも３つの補償値からなり、複数の前記補償値の内の少なくとも３つは、低グレースケール、中間グレースケール、高グレースケールにそれぞれ対応する。例えば本実施形態において、複数の前記補償値は３つの補償値からなり、第１補償値ａ、第２補償値ｂ及び第３補償値ｃのそれぞれからなる。３つの補償値ａ、ｂ、ｃの中で、第１補償値ａは、低グレースケールの中の一つのグレースケール（最低グレースケールｇｍｉｎ）に対応して補償を行ない、第２補償値ｂは、中グレースケールの中の一つのグレースケール（中間グレースケールｇｍｉｄ）に対応して補償を行ない、第３補償値ｃは、高グレースケールの中の一つのグレースケール（最高グレースケールｇｍａｘ）に対応して補償を行なう。
【００２３】
本実施形態において、異なるグレースケールの中で最低グレースケールｇｍｉｎに対応する補償値は第１補償値ａであり、例えば第１補償値ａに対応する最低グレースケールｇｍｉｎは、グレースケール２５である。最高グレースケールｇｍａｘに対応する補償値は第３補償値ｃであり、例えば第３補償値ｃに対応する最高グレースケールｇｍａｘは、グレースケール２００である。その他の記憶された補償値に対応するグレースケールは、最低グレースケールｇｍｉｎと最高グレースケールｇｍａｘとの間で、例えばグレースケール２５とグレースケール２００との間にある。
【００２４】
Ｓ１２０：グレースケール０に対応する先端補償値ｍ（ただし、ｍは０ではない）を取得するステップ；
従来技術では、グレースケール０に対応する補償値が０に設定されるので、グレースケール０は補償を必要とせず、後続において０と最低グレースケールｇｍｉｎに対応する補償値に基づいてグレースケール０−最低グレースケールｇｍｉｎの間の補償値が計算され、それによりムラの補償効果が好ましくないものであった。実際の状況では、グレースケール０は依然としてグレースケール補償を必要とする。したがって本実施形態では、表示パネルがグレースケール０に対応する先端補償値ｍを取得し、前記先端補償値ｍは計算で取得され得るし、実験で実際に測定することもでき、また前記先端補償値ｍは実際の補償値であるか、実際の補償値に近付けることもでき、前記先端補償値ｍは０ではない。本実施形態では、前記先端補償値を異なる表示パネルに対して同じにしてもよく、異なる表示パネルで異なる先端補償値を有してもよい。
【００２５】
Ｓ１３０：表示パネルの現在のグレースケールを取得するステップ；
表示パネルが表示されていると、現在のグレースケールは動的に変化するので、グレースケール補償を行なうために現在のグレースケールを取得する必要がある。現在のグレースケールがグレースケール０−最低グレースケールｇｍｉｎの間にあるときだけ、先端補償値ｍを利用して補償値が計算される必要がある。
【００２６】
Ｓ１４０：表示パネルの現在のグレースケールが、グレースケール０−最低グレースケールｇｍｉｎの間にあれば、第１補償値ａと先端補償値ｍに基づいて線形補間の計算を行なうことで、現在のグレースケールに対応する第１目的補償値を得るステップ。
【００２７】
表示パネルで取得した現在のグレースケールが、グレースケール０−最低グレースケールｇｍｉｎの間にあるときには、第１補償値ａと先端補償値ｍに基づいて線形補間の計算を行なうことで、現在のグレースケールに対応する第１目的補償値を得る。具体的には、現在のグレースケールが第ｋグレースケールであり、前記第ｋグレースケールがグレースケール０−最低グレースケールｇｍｉｎの間にあると仮定すると、現在のグレースケールに対応する第１目標補償値ｙｋは、以下の線形補間の計算に基づき得られる：
【００２８】
【数２】
2020518849.tif 000004
【００２９】
最低グレースケールｇｍｉｎが第２０グレースケールで、第ｋグレースケールが第１０グレースケールであると仮定すると、以下となる：
【００３０】
【数３】
2020518849.tif 000005
【００３１】
したがって、図３を参照すると、本実施形態で計算により得られたグレースケール０−最低グレースケールｇｍｉｎの間の第１目標補償値は、従来技術よりも実際に必要となる補償値に近いことが比較で分かる。
【００３２】
Ｓ１５０：前記第１目標補償値に基づいて、前記表示パネルの現在のグレースケールに対して補償を行なうステップ。
【００３３】
本実施形態では、第１目標補償値を計算で取得した後に、前記第１目標補償値に基づいて、前記表示パネルの現在のグレースケールに対して補償を行なう。
【００３４】
本実施形態では、グレースケール０に対応する先端補償値が０に設定されず、実際値に近い或いは実際値の先端補償値ｍとなるので、線形補間の計算によって得られるグレースケール０−最低グレースケールｇｍｉｎの間の第１目標補償値は実際の補償値により近づき、最低グレースケールｇｍｉｎ−グレースケール０の間のムラ補償効果が向上して、表示効果が良好になる。
【００３５】
本実施形態では、前記先端補償値ｍ＝ｘａであり、ｘは先端補償係数である（ただし、０＜ｘ＜１）。したがって、第ｋグレースケールに対応する第１目標補償値ｙｋの計算式は以下のとおりである。
【００３６】
【数４】
2020518849.tif 000006
【００３７】
したがって、グレースケール０に対応する先端補償値を取得するステップの前に、次のステップをさらに含む：
先端補償係数ｘを記憶するステップ。
【００３８】
これにより、先端補償値を先端補償係数ｘに基づいて計算することができる。ここでは、先端補償係数ｘの値が外部のムラシステムの処理により得られ、外部ムラシステムは、撮影された低グレースケールｊ（カメラは一定の感度制限があるので、第ｊグレースケールは低すぎてはならず、第ｊグレースケールはグレースケール０と最低グレースケールｇｍｉｎとの間にあり、好ましくは、第ｊグレースケールは第１０グレースケールと最低グレースケールｇｍｉｎとの間にある）のムラ構造を増加させ、第ｊグレースケールに対応する補償データｐを取得して、第ｊグレースケールに対応する補償データｐと第１補償値aとの間の大小関係に基づき、先端補償係数ｘの値を計算して記憶する。第ｊグレースケールに対応する補償データｐはフラッシュに記憶する必要はなく、次の式により係数ｘの値が計算される：
【００３９】
【数５】
2020518849.tif 000007
【００４０】
本実施形態では、先端補償係数ｘが小さいので、先端補償係数ｘを記憶することで記憶スペースが節約される。勿論、本発明の他の実施形態では、先端補償値ｍを直接記憶することもできる。
【００４１】
本実施形態では、前記先端補償係数ｘをタイミングコントローラ（Ｔｃｏｎ  ＩＣ）に記憶することができ、製品デバック段階の間に固定のパラメータｘが選択され、タイミングコントローラ（Ｔｃｏｎ  ＩＣ）にセットアップされる。本発明の他の実施形態では、前記先端補償係数ｘをデータメモリ（フラッシュ）に記憶することもでき、これにより各々の表示パネルの実際の状況に応じて、異なる先端補償係数ｘの値が選択され得る。本実施形態では、ムラ現象に対してグレースケール補償を行なうための複数の前記補償値がデータメモリに記憶される。
【００４２】
本実施形態において、低グレースケールの中で一つのグレースケール（ここでの当該グレースケールを、最低グレースケールｇｍｉｎという）の補償値は第１補償値ａであり、中間グレースケールの中で一つのグレースケール（ここでの当該グレースケールを、中間グレースケールｇｍｉｄという）の補償値は第２補償値ｂであり、高グレースケールの中で一つのグレースケール（ここでの当該グレースケールを、最高グレースケールｇｍａｘという）の補償値は第３補償値ｃであるため、表示パネルの現在のグレースケールである第ｋグレースケールが、最低グレースケールｇｍｉｎ−中間グレースケールｇｍｉｄの間にあるときには、第１補償値ａと第２補償値ｂに基づいて線形補間の計算を行なうことで、現在のグレースケールである第ｋグレースケールに対応する第３目標補償値ｙｋが得られ、且つ前記第３目標補償値に基づいて、前記表示パネルの現在のグレースケールに対する補償を行なう。第３目標補償値ｙｋの具体的な計算式は以下である：
【００４３】
【数６】
2020518849.tif 000008
【００４４】
表示パネルの現在のグレースケールである第ｋグレースケールが、中間グレースケールｇｍｉｄ−最高グレースケールｇｍａｘの間にあるときには、第２補償値ｂと第３補償値ｃに基づいて線形補間の計算を行なうことで、現在のグレースケールである第ｋグレースケールに対応する第４目標補償値ｙｋが得られ、且つ第３目標補償値に基づいて、前記表示パネルの現在のグレースケールに対する補償を行なう。第４目標補償値ｙｋは具体的に、以下の式で計算される：
【００４５】
【数７】
2020518849.tif 000009
【００４６】
さらに、本発明の他の実施形態では、第２補償値ｂが存在せず、最低グレースケールｇｍｉｎ−最高グレースケールｇｍａｘの間の補償値を同様に、線形補間の計算により取得することもできる。
【００４７】
本発明は表示パネルをさらに提供し、図４を参照すると、表示パネルは以下のものを含む：
表示パネルがムラ現象に対してグレースケール補償を行なう複数の補償値を記憶するのに用いられ、複数の前記補償値は、表示パネルの異なるグレースケールに対応して補償を行ない、異なるグレースケールの中で最低グレースケールｇｍｉｎに対応する補償値を第１補償値ａとする第１記憶ユニット１１０；
グレースケール０に対応する先端補償値ｍ（ただし、ｍは０ではない）を取得するために用いられる第１取得ユニット１２０；
表示パネルの現在のグレースケールを取得するために用いられる第２取得ユニット１３０；
第２取得ユニット１３０で取得した表示パネルの現在のグレースケールが、グレースケール０−最低グレースケールｇｍｉｎの間にあるときに、第１補償値aと先端補償値ｍに基づいて線形補間の計算を行なうことで、現在のグレースケールに対応する第１目的補償値を得るために用いられる処理ユニット１４０。
【００４８】
第２取得ユニット１３０で取得した現在のグレースケールが、グレースケール０−最低グレースケールｇｍｉｎの間にあるときには、処理ユニット１４０が第１補償値aと先端補償値ｍに基づいて線形補間の計算を行なうことで、現在のグレースケールに対応する第１目標補償値が得られる。具体的には、現在のグレースケールが第ｋグレースケールで、前記第ｋグレースケールがグレースケール０−最低グレースケールｇｍｉｎの間にあると仮定すると、現在のグレースケールに対応する第１目標補償値ｙｋは、以下の線形補間の計算に基づいて得られる；
【００４９】
【数８】
2020518849.tif 000010
【００５０】
前記第１目標補償値に基づいて、前記表示パネルの現在のグレースケールに対して補償を行なうために用いられる補償ユニット１５０。
【００５１】
本実施形態において、前記第１取得ユニット１２０、第２取得ユニット１３０、処理ユニット１４０、補償ユニット１５０はすべて、タイミングコントローラ（Ｔｃｏｎ  ＩＣ）中に集積化することができ、または別々な単独の電子部品とすることもできる。
【００５２】
本実施形態では、第１取得ユニット１２０により取得される先端補償値ｍ＝ｘａにおいて、ｘは先端補償係数である（ただし、０＜ｘ＜１）。前記表示パネルはさらに第２記憶ユニットを含み、先端補償係数ｘを記憶するために用いられる。本実施形態において、前記第１記憶ユニットおよび第２記憶ユニットは、同じメモリとすることができ、または別々のメモリとすることもできる。本実施形態において、前記第１記憶ユニットはデータメモリ（フラッシュ）であり、前記第２記憶ユニットはビットデータメモリ（フラッシュ）或いはタイミングコントローラ（Ｔｃｏｎ  ＩＣ）である。
【００５３】
本実施形態において、低グレースケールの中で一つのグレースケール（ここでの当該グレースケールを、最低グレースケールｇｍｉｎという）の補償値は第１補償値ａであり、中間グレースケールの中で一つのグレースケール（ここでの当該グレースケールを、中間グレースケールｇｍｉｄという）の補償値は第２補償値ｂであり、高グレースケールの中で一つのグレースケール（ここでの当該グレースケールを、最高グレースケールｇｍａｘという）の補償値は第３補償値ｃであるため、第２取得ユニット１３０で取得される現在のグレースケールである第ｋグレースケールが、最低グレースケールｇｍｉｎ−中間グレースケールｇｍｉｄの間にあるときには、処理ユニット１４０が第１補償値ａと第２補償値ｂに基づいて線形補間の計算を行なうことで、現在のグレースケールである第ｋグレースケールに対応する第３目標補償値ｙｋが得られ、具体的には以下の式で計算される：
【００５４】
【数９】
2020518849.tif 000011
【００５５】
前記補償ユニット１５０は、前記第３目標補償値に基づいて、前記表示パネルの現在のグレースケールに対して補償を行なう。
【００５６】
第２取得ユニット１３０で取得した現在のグレースケールである第ｋグレースケールが、中間グレースケールｇｍｉｄ−最高グレースケールｇｍａｘの間にあるときには、処理ユニット１４０が第２補償値ｂおよび第３補償値ｃに基づいて線形補間の計算を行なうことで、現在のグレースケールである第ｋグレースケールに対応する第４目標補償値ｙｋが得られ、具体的には以下の式で計算される：
【００５７】
【数１０】
2020518849.tif 000012
【００５８】
前記補償ユニット１５０は、前記第４目標補償値に基づいて、前記表示パネルの現在のグレースケールに対して補償を行なう。
【００５９】
さらに、本発明の他の実施形態では、第２補償値ｂが存在せず、最低グレースケールｇｍｉｎ−最高グレースケールｇｍａｘの間の補償値を、処理ユニット１４０が線形補間の計算により同様に取得することもできる。
【００６０】
その他に本実施形態では、グレースケール２５５の補償値が０（デフォルト値、正確な値でない）に設定されるので、最高グレースケールｇｍａｘ−グレースケール２５５の補償値は、線形補間の計算に基づき取得される。一般的に言えば、最高グレースケールｇｍａｘ−グレースケール２５５では、パネルに出現するムラ問題は多くないものの、表示パネルの表示品質をさらに改善するために、ディスプレイの表示品質をさらに改善した第２実施形態を以下に記載する。
【００６１】
第２実施形態
図５は、本発明における表示パネルのムラ現象補償方法の第２実施形態を示すフローチャートである。図５に示す方法のフローチャートは、図２に示す方法のフローチャートと類似するが、本実施形態と第１実施形態との主な違いは、最高グレースケールｇｍａｘ−グレースケール２５５の間の補償を改善したことにあり、図５を参照すると、本実施形態ではステップＳ２１０〜Ｓ２５０を含む。
【００６２】
Ｓ２１０：表示パネルのムラ現象に対してグレースケール補償を行なう複数の補償値を記憶し、複数の前記補償値は、表示パネルの異なるグレースケールに対応して補償を行ない、異なるグレースケールの中で最低グレースケールｇｍｉｎに対応する補償値を第１補償値ａとし、異なるグレースケールの中で最高グレースケールｇｍａｘに対応する補償値を第３補償値ｃとするステップ；
本実施形態では、異なるグレースケールの中で最低グレースケールｇｍｉｎに対応する補償値が第１補償値ａであるだけでなく、異なるグレースケールの中で最高グレースケールｇｍａｘに対応する補償値が第３補償値ｃであって、すなわち異なるグレースケールは最低グレースケールｇｍｉｎと最高グレースケールｇｍａｘを含んでおり、記憶される複数の補償値は第１補償値ａと第３補償値ｃを含んでいる。
【００６３】
Ｓ２２０：グレースケール０に対応する先端補償値ｍ（ただし、ｍは０ではない）を取得するステップ。
【００６４】
このステップはステップＳ１２０と同じであり、ここでは再び記載しない。
【００６５】
Ｓ２６０：グレースケール２５５に対応する末端補償値ｎ（ただし、ｎは０ではない）を取得するステップ；
従来技術では、グレースケール２５５に対応する補償値が０（この補償値は正確な値ではない）に設定されるので、グレースケール２５５は補償を必要とせず、後続において０と最高グレースケールｇｍａｘに対応する補償値に基づいてグレースケール２５５−最高グレースケールｇｍａｘの間の第２目標補償値が計算され、ムラの補償効果が好ましくないものであった。
【００６６】
実際の状況では、グレースケール２５５は依然としてグレースケール補償を必要とする。したがって本実施形態では、表示パネルがグレースケール２５５に対応する末端補償値ｎ（ただし、ｎは０ではない）を取得し、前記末端補償値ｎは計算で取得され得るし、実験で実際に測定することもでき、また前記末端補償値ｎは実際の補償値であるか、実際の補償値に近付けることもできる。本実施形態では、前記末端補償値を異なる表示パネルに対して同じにしてもよく、異なる表示パネルで異なる先端補償値を有してもよい。
【００６７】
Ｓ２３０：表示パネルの現在のグレースケールを取得するステップ。
【００６８】
このステップはステップＳ１３０と同じであり、ここでは再び記載しない。
【００６９】
Ｓ２４０：表示パネルの現在のグレースケールが、グレースケール０−最低グレースケールｇｍｉｎの間にあるときに、第１補償値ａと先端補償値ｍに基づいて線形補間の計算を行なうことで、現在のグレースケールに対応する第１目的補償値を得て；表示パネルの現在のグレースケールが、最高グレースケールｇｍａｘ−グレースケール２５５の間にあるときに、末端補償値ｎと第３補償値ｃとに基づいて線形補間の計算を行なうことで、現在のグレースケールに対応する第２目的補償値を得るステップ。
【００７０】
この中で本実施形態では、表示パネルの現在のグレースケールである第ｋグレースケールが、グレースケール０−最低グレースケールｇｍｉｎの間にあるときには、第１補償値ａと先端補償値ｍに基づいて線形補間の計算を行なうことで、現在のグレースケールである第ｋグレースケールに対応する第１目標補償値ｙｋが得られ、計算式は以下のようになる。
【００７１】
【数１１】
2020518849.tif 000013
【００７２】
表示パネルの現在のグレースケールが、最高グレースケールｇｍａｘ−グレースケール２５５の間にあるときには、末端補償値ｎと第３補償値ｃに基づいて線形補間の計算を行なうことで、現在のグレースケールに対応する第２目標補償値が得られる。具体的には、現在のグレースケールが第ｋグレースケールであり、前記第ｋグレースケールがグレースケール２５５−最高グレースケールｇｍａｘの間にあると仮定すると、現在のグレースケールである第ｋグレースケールに対応する第２目標補償値ｙｋは、以下の式の計算に基づき得られる：
【００７３】
【数１２】
2020518849.tif 000014
【００７４】
最高グレースケールｇｍａｘがグレースケール２００で、第ｋグレースケールが第２４０グレースケールであると仮定すると、以下となる：
【００７５】
【数１３】
2020518849.tif 000015
【００７６】
Ｓ２５０：前記第１目標補償値または第２目標補償値に基づいて、前記表示パネルの現在のグレースケールに対して補償を行なうステップ。
【００７７】
本実施形態では、第１目標補償値または第２目標補償値を計算で取得した後に、前記第１目標補償値または前記第２目標補償値に基づいて、前記表示パネルの現在のグレースケールに対して補償が行なわれる。
【００７８】
本実施形態では、グレースケール２５５に対応する末端補償値が０に設定されず、実際値に近い或いは実際値の末端補償値ｎとなるので、線形補間の計算により得られるグレースケール２５５−最高グレースケールｇｍａｘの間の第２目標補償値は、実際の補償値により近づき、最高グレースケールｇｍａｘ−グレースケール２５５の間のムラ補償効果が向上して、表示効果がより一層改善される。
【００７９】
第１実施形態と比較すると、本実施形態では、先端補償値が０に設定されず、実際値或いは実際値に近いｍに設定され、末端補償値も０に設定されず、実際値或いは実際値に近いｎに設定されるので、現在のグレースケールがグレースケール０−最低グレースケールｇｍｉｎの間にあるときに、計算で得られた現在のグレースケールに対応する第１目標補償値が実際の補償値により近づき、ムラ補償効果が向上し；現在のグレースケールがグレースケール２５５−最高グレースケールｇｍａｘの間にあるときに、計算で得られた現在のグレースケールに対応する第２目標補償値が実際の補償値により近づき、ムラ補償効果が向上して、全体におけるムラ補償効果も向上して、表示効果がより一層改善される。
【００８０】
本実施形態では、前記末端補償値ｎ＝ｙｃであり、ｙは末端補償係数である（ただし、０＜ｙ＜１）。前記末端補償係数ｙは先端補償係数ｘと同様に取得することができ、前記末端補償係数をタイミングコントローラ（Ｔｃｏｎ  ＩＣ）またはデータメモリ（フラッシュ）に記憶することができる。
【００８１】
説明する必要があるのは、本明細書中の様々な実施形態は、進行形の方式で記載されており、各実施形態は主に他の実施形態と異なる部分に重点を置いて記載され、各実施形態の間で同じまたは同様の部分は相互に参照できる、ということである。装置の実施形態については、方法の実施形態と基本的に同様であるので、記載は比較的簡単であり、関連する記載は方法の実施形態の部分の説明を参照できる。
【００８２】
上記実施形態の記載によって、本発明は次の利点を備える。
【００８３】
グレースケール０に対応する先端補償値が０に設定されず、実際値に近い或いは実際値の先端補償値ｍとなるので、線形補間の計算により得られるグレースケール０−最低グレースケールｇｍｉｎの間の第１目標補償値は実際の補償値により近づき、最低グレースケールｇｍｉｎ−グレースケール０の間のムラ補償効果が向上して、表示効果が良好になる。
【００８４】
上述したものは本発明の好ましい実施形態に過ぎず、当然ながら本発明の権利範囲に限定を課すことを意図してはいない。したがって、本発明の請求項と同等の変更は、本発明を包含する範囲に属するとみなされる。
【図１】
2020518849.tif 000017
【図２】
2020518849.tif 000018
【図３】
2020518849.tif 000019
【図４】
2020518849.tif 000020
【図５】
2020518849.tif 000021
【国際調査報告】
2020518849.tif 000022
2020518849.tif 000023
2020518849.tif 000024
2020518849.tif 000025